(57)【要約】【課題】使用者の異なる場面およびニーズに応じた清掃、保守または異なるカラーホイールへの交換の利便性向上を図る投影装置を提供する。【解決手段】内部に取り外し可能に装着されているカラーホイールを有するカラーホイールモジュールを備えた投影装置。前記カラーホイールモジュールは前記投影装置の本体から取り外し可能となっている。【選択図】図３
2007298925.tif 000002
【特許請求の範囲】
【請求項１】
投影装置であって、
本体と、
前記本体内に取り外し可能に設けられているカラーホイール（ｃｏｌｏｒ  ｗｈｅｅｌ）モジュールと、を備えたことを特徴とする投影装置。
【請求項２】
前記カラーホイールモジュールはカラーホイールとハウジングとを備え、前記カラーホイールは前記ハウジングに取り外し可能に装着されることを特徴とする請求項１に記載の投影装置。
【請求項３】
電源供給手段とスイッチング手段とを更に備えており、前記カラーホイールモジュールは、
前記電源供給手段および前記スイッチング手段に電気的に接続されている連結手段（ｄａｕｇｈｔｅｒ  ｂｏａｒｄ）と、
前記カラーホイールおよび前記連結手段に電気的に接続され、前記カラーホイールを駆動する駆動手段（ｍｏｔｏｒ）と、を更に備え、
前記カラーホイールモジュールは前記連結手段を介して前記スイッチング手段と信号の伝送を行うことを特徴とする請求項２に記載の投影装置。
【請求項４】
前記カラーホイールモジュールは、
前記連結手段に電気的に接続されて、前記カラーホイールの色領域を読取る読取り手段（ｉｎｄｅｘ  ｂｏａｒｄ）を更に備えたことを特徴とする請求項３に記載の投影装置。
【請求項５】
前記連結手段および前記駆動手段が、前記投影装置の本体上に取り外し可能に装着されている前記ハウジングに装着されていることを特徴とする請求項３に記載の投影装置。
【請求項６】
前記連結手段、前記駆動手段および前記読取り手段が、前記投影装置の本体上に取り外し可能に装着されている前記ハウジングに装着されていることを特徴とする請求項４に記載の投影装置。
【請求項７】
前記カラーホイールモジュールは、外力を付与することにより、前記カラーホイールモジュールを前記投影装置の本体から持ち上げて取り外すように前記ハウジング上に設けられているハンドル（ｈａｎｄｌｅ  ｓｐｒｉｎｇ）を更に備えたことを特徴とする請求項５に記載の投影装置。
【請求項８】
前記カラーホイールモジュールは、外力を付与することにより、前記カラーホイールモジュールを前記投影装置の本体から持ち上げて取り外すように前記ハウジング上に設けられているハンドル（ｈａｎｄｌｅ  ｓｐｒｉｎｇ）を更に備えたことを特徴とする請求項６に記載の投影装置。
【請求項９】
前記本体は前記本体の上部部分に枢設されているカバーを備えており、前記カラーホイールモジュールは前記カバーの内側に取り外し可能に設けられていることを特徴とする請求項１に記載の投影装置。
【請求項１０】
前記本体は前記本体の側部部分に枢設されているカバーを備えており、前記カラーホイールモジュールは前記カバーの内側に取り外し可能に設けられていることを特徴とする請求項１に記載の投影装置。
【請求項１１】
前記本体は前記本体の底部部分に枢設されているカバーを備えており、前記カラーホイールモジュールは前記カバーの内側に取り外し可能に設けられていることを特徴とする請求項１に記載の投影装置。
【請求項１２】
投影装置用のカラーホイールモジュールであって、前記投影装置は、
本体を備え、
前記カラーホイールモジュールが前記本体上に設けられており、前記カラーホイールモジュールは、
前記本体上に取り外し可能に装着されているカラーホイールを備えたことを特徴とする投影装置用のカラーホイールモジュール。
【請求項１３】
前記投影装置は電源供給手段とスイッチング手段とを更に備えており、前記カラーホイールモジュールは、
前記電源供給手段および前記スイッチング手段に電気的に接続されている連結手段（ｄａｕｇｈｔｅｒ  ｂｏａｒｄ）と、
前記カラーホイールおよび前記連結手段に電気的に接続され、前記カラーホイールを駆動する駆動手段（ｍｏｔｏｒ）と、を更に備え、
前記カラーホイールモジュールは前記連結手段を介して前記スイッチング手段と信号の伝送を行うことを特徴とする請求項１２に記載のカラーホイールモジュール。
【請求項１４】
前記カラーホイールモジュールは、
前記連結手段に電気的に接続されて、前記カラーホイールの色領域を読取る読取り手段（ｉｎｄｅｘ  ｂｏａｒｄ）を更に備えたことを特徴とする請求項１３に記載のカラーホイールモジュール。
【請求項１５】
前記連結手段および前記駆動手段が、前記本体上に装着されていることを特徴とする請求項１３に記載のカラーホイールモジュール。
【請求項１６】
前記連結手段、前記駆動手段および前記読取り手段が、前記本体上に装着されていることを特徴とする請求項１４に記載のカラーホイールモジュール。
【請求項１７】
投影装置用のカラーホイールモジュールであって、前記投影装置は、
本体を備え、
前記カラーホイールモジュールが前記本体上に設けられており、前記カラーホイールモジュールは、
少なくとも一つの周辺部材と、
前記少なくとも一つの周辺部材上に取り外し可能に装着されているカラーホイールと、を備えたことを特徴とする投影装置用のカラーホイールモジュール。
【請求項１８】
前記少なくとも一つの周辺部材はハウジングを備え、前記カラーホイールは前記ハウジング上に取り外し可能に装着されていることを特徴とする請求項１７に記載の投影装置。
【請求項１９】
前記投影装置は電源供給手段とスイッチング手段とを更に備えており、前記カラーホイールモジュールは、
前記電源供給手段および前記スイッチング手段に電気的に接続されている連結手段と、
前記カラーホイールおよび前記連結手段に電気的に接続され、前記カラーホイールを駆動する駆動手段と、を更に備え、
前記カラーホイールモジュールは前記連結手段を介して前記スイッチング手段と信号の伝送を行うことを特徴とする請求項１７に記載のカラーホイールモジュール。
【請求項２０】
前記カラーホイールモジュールは、
前記連結手段に電気的に接続されて、前記カラーホイールの色領域を読取る読取り手段を更に備えたことを特徴とする請求項１９に記載の投影装置。
【発明の詳細な説明】
【技術分野】
【０００１】
本発明は、交換可能なカラーホイールを備えた投影装置に関し、より詳細には、投影装置に設けられるカラーホイールモジュールに関する。
【背景技術】
【０００２】
現在、投影装置の製品は非常に多様化されており、デジタル・ライト・プロセッシングプロジェクタ（ＤＬＰ）、液晶プロジェクタ（ＬＣＤ）および反射型液晶素子（ＬＣＯＳ）プロジェクタなどが挙げられ、いずれも各々異なる消費ニーズを提供している。現時点における市場で多く見られるデジタル・ライト・プロセッシングプロジェクタ（ＤＬＰ）を例にとれば、ＤＬＰプロジェクタは微小電気機械システム（ＭＥＭＳ）を技術的基礎として、テキサスインスツルメンツ社（ＴＩ）が開発したＤＭＤチップ（ｄｉｇｉｔａｌ  ｍｉｃｒｏｍｉｒｒｏｒ  ｄｅｖｉｃｅ）を技術的ベースとして採用している。一般的には、ＤＬＰプロジェクタの像形成原理は、光が光源から出射された後、カラーホイール（ｃｏｌｏｒ  ｗｈｅｅｌ）を透過して色分離動作が行われ、色が緑、青および赤に分離された後に、導光体に入射させて、光を最適化した後に、ＤＭＤに入射し、ＤＭＤを介して影像入力信号を受信して、その上の微小ミラーで反射して、正確な光および影像をレンズに投射して入射させて、最後にレンズによって最終的な処理が施されて、影像がスクリーン上に投写されるものである。その他の原理で製造された投影装置に比べて、ＤＬＰプロジェクタは高い明度、正確なカラー再現性、高いコントラスト、装置本体のコンパクトと軽量化という長所を備えている。
【０００３】
ＤＬＰプロジェクタは画面表現上の優位性から、各メーカーにおいては、最善で極限の高品位な投影効果を目指して、ＤＬＰプロジェクタの研究・開発を重視している。一般的には、ＤＬＰプロジェクタには社内の会議に応用されて高い明度、大画面が求められることから、通常、白、緑、青および赤の四色の領域を有するカラーホイールが用いられている。仮に一般家庭での娯楽的応用については、通常は赤、緑および青の三色の領域の変化を組合わせることで、表現色のリアルさ、彩度、高いコントラストの効果を強化している。しかしながら、市場における製品を見渡しても、使用者の異なる場面のニーズに応じてカラーホイールの種類を容易に交換できる投影装置の製品は未だ見られない。したがって、もし投影装置のカラーホイールを交換または保守したい場合には、製造メーカーに返送して作業を行ってもらうしかない。また保守技術者にとっても、煩雑な手順を経なければ投影装置を分解できず、清掃、カラーホイールの交換または保守が甚だ不便である。
【発明の開示】
【発明が解決しようとする課題】
【０００４】
製品の保守または再生では効率が求められることから、製品本体は極力使用者にとって便利な設計を行うことが要求される。上記したカラーホイール応用の問題と同様に、投影装置本体の製造コストは低くなく、しかもカラーホイールを何時でも交換できる機能を提供していないため、消費者には価格と品質との間の決断を迫られることが往々にしてある。したがって、使用者にとって異なる場面でのニーズに応じて、カラーホイールの種類を交換するのに便利で、同時に保守技術者による清掃、カラーホイールの交換または保守がしやすい設計が当然のこと必要となる。
【課題を解決するための手段】
【０００５】
本発明の主な目的は、内蔵されているカラーホイールとその周辺部材をモジュール化することで、使用者の異なる場面およびニーズに応じた清掃、保守または異なるカラーホイールへの交換の利便性向上を図る投影装置を提供するところにある。前記投影装置は、前記投影装置の本体から取り外すよう選択可能なカラーホイールモジュールを備えている。
【０００６】
本発明の他の目的は、使用者の異なる場面およびニーズに応じた清掃、保守または異なるカラーホイールへの交換の利便性向上を図る、投影装置用のカラーホイールモジュールを提供するところにある。前記カラーホイールモジュールは、前記カラーホイールモジュールに取り外し可能に装着されているカラーホイールを備えている。
【０００７】
本願の第1発明は、投影装置であって、本体と、前記本体内に取り外し可能に設けられているカラーホイール（ｃｏｌｏｒ  ｗｈｅｅｌ）モジュールと、を備えたことを特徴とする投影装置を提供する。
本願の第２発明は、前記カラーホイールモジュールはカラーホイールとハウジングとを備え、前記カラーホイールは前記ハウジングに取り外し可能に装着されることを特徴とする、第１発明に記載の投影装置を提供する。
本願の第３発明は、電源供給手段とスイッチング手段とを更に備えており、前記カラーホイールモジュールは、前記電源供給手段および前記スイッチング手段に電気的に接続されている連結手段（ｄａｕｇｈｔｅｒ  ｂｏａｒｄ）と、前記カラーホイールおよび前記連結手段に電気的に接続され、前記カラーホイールを駆動する駆動手段（ｍｏｔｏｒ）と、を更に備え、前記カラーホイールモジュールは前記連結手段を介して前記スイッチング手段と信号の伝送を行うことを特徴とする、第２発明に記載の投影装置を提供する。
本願の第４発明は、前記カラーホイールモジュールは、前記連結手段に電気的に接続されて、前記カラーホイールの色領域を読取る読取り手段（ｉｎｄｅｘ  ｂｏａｒｄ）を更に備えたことを特徴とする、第３発明に記載の投影装置を提供する。
本願の第５発明は、前記連結手段および前記駆動手段が、前記投影装置の本体上に取り外し可能に装着されている前記ハウジングに装着されていることを特徴とする、第３発明に記載の投影装置を提供する。
本願の第６発明は、前記連結手段、前記駆動手段および前記読取り手段が、前記投影装置の本体上に取り外し可能に装着されている前記ハウジングに装着されていることを特徴とする、第４発明に記載の投影装置を提供する。
本願の第７発明は、前記カラーホイールモジュールは、外力を付与することにより、前記カラーホイールモジュールを前記投影装置の本体から持ち上げて取り外すように前記ハウジング上に設けられているハンドル（ｈａｎｄｌｅ  ｓｐｒｉｎｇ）を更に備えたことを特徴とする、第５発明に記載の投影装置を提供する。
本願の第８発明は、前記カラーホイールモジュールは、外力を付与することにより、前記カラーホイールモジュールを前記投影装置の本体から持ち上げて取り外すように前記ハウジング上に設けられているハンドル（ｈａｎｄｌｅ  ｓｐｒｉｎｇ）を更に備えたことを特徴とする、第６発明に記載の投影装置を提供する。
本願の第９発明は、前記本体は前記本体の上部部分に枢設されているカバーを備えており、前記カラーホイールモジュールは前記カバーの内側に取り外し可能に設けられていることを特徴とする、第１発明に記載の投影装置を提供する。
本願の第１０発明は、前記本体は前記本体の側部部分に枢設されているカバーを備えており、前記カラーホイールモジュールは前記カバーの内側に取り外し可能に設けられていることを特徴とする、第１発明に記載の投影装置を提供する。
本願の第１１発明は、前記本体は前記本体の底部部分に枢設されているカバーを備えており、前記カラーホイールモジュールは前記カバーの内側に取り外し可能に設けられていることを特徴とする、第１発明に記載の投影装置を提供する。
本願の第１２発明は、投影装置用のカラーホイールモジュールであって、前記投影装置は、本体を備え、前記カラーホイールモジュールが前記本体上に設けられており、前記カラーホイールモジュールは、前記本体上に取り外し可能に装着されているカラーホイールを備えたことを特徴とする投影装置用のカラーホイールモジュールを提供する。
本願の第１３発明は、前記投影装置は電源供給手段とスイッチング手段とを更に備えており、前記カラーホイールモジュールは、前記電源供給手段および前記スイッチング手段に電気的に接続されている連結手段（ｄａｕｇｈｔｅｒ  ｂｏａｒｄ）と、前記カラーホイールおよび前記連結手段に電気的に接続され、前記カラーホイールを駆動する駆動手段（ｍｏｔｏｒ）と、を更に備え、前記カラーホイールモジュールは前記連結手段を介して前記スイッチング手段と信号の伝送を行うことを特徴とする、第１２発明に記載のカラーホイールモジュールを提供する。
本願の第１４発明は、前記カラーホイールモジュールは、前記連結手段に電気的に接続されて、前記カラーホイールの色領域を読取る読取り手段（ｉｎｄｅｘ  ｂｏａｒｄ）を更に備えたことを特徴とする、第１３発明に記載のカラーホイールモジュールを提供する。
本願の第１５発明は、前記連結手段および前記駆動手段が、前記本体上に装着されていることを特徴とする、第１３発明に記載のカラーホイールモジュール。
本願の第１６発明は、前記連結手段、前記駆動手段および前記読取り手段が、前記本体上に装着されていることを特徴とする、第１４発明に記載のカラーホイールモジュールを提供する。
本願の第１７発明は、投影装置用のカラーホイールモジュールであって、前記投影装置は、本体を備え、前記カラーホイールモジュールが前記本体上に設けられており、前記カラーホイールモジュールは、少なくとも一つの周辺部材と、前記少なくとも一つの周辺部材上に取り外し可能に装着されているカラーホイールと、を備えたことを特徴とする投影装置用のカラーホイールモジュールを提供する。
本願の第１８発明は、前記少なくとも一つの周辺部材はハウジングを備え、前記カラーホイールは前記ハウジング上に取り外し可能に装着されていることを特徴とする、第１７発明に記載の投影装置（カラーホイールモジュール）を提供する。
本願の第１９発明は、前記投影装置は電源供給手段とスイッチング手段とを更に備えており、前記カラーホイールモジュールは、前記電源供給手段および前記スイッチング手段に電気的に接続されている連結手段と、前記カラーホイールおよび前記連結手段に電気的に接続され、前記カラーホイールを駆動する駆動手段と、を更に備え、前記カラーホイールモジュールは前記連結手段を介して前記スイッチング手段と信号の伝送を行うことを特徴とする、第１７発明に記載のカラーホイールモジュールを提供する。
本願の第２０発明は、前記カラーホイールモジュールは、前記連結手段に電気的に接続されて、前記カラーホイールの色領域を読取る読取り手段を更に備えたことを特徴とする、第１９発明に記載の投影装置（カラーホイールモジュール）を提供する。
【発明の効果】
【０００８】
本発明の投影装置およびカラーホイールモジュールでは、使用者の異なる場面のニーズに応じた、または保守のニーズに応じた清掃、保守、または異なるもしくは新品のカラーホイールへの交換がしやすくなり、投影装置応用の多元性、保守の利便性を効果的に向上するのみならず、投影装置の使用上での寿命を効果的に延長することができる。
【０００９】
図面および後述する実施形態を参照することで、当業者であれば本発明のその他目的および本発明の技術的手段ならびに実施形態を理解できよう。
【発明を実施するための最良の形態】
【００１０】
図１、図２Ａ、図２Ｂおよび図４を同時に参照されたい。本発明に係る発明の特徴はカラーホイールのモジュール化に重点を置いていることから、以下に説明するものは投影装置１００中のカラーホイールモジュールおよびその周辺における関連部材のみを主体としており、その他カラーホイールモジュールと無関係の部材はここでは記述を省略する。
【００１１】
図中における投影装置１００は主にカラーホイールモジュール２００と、電源供給手段（図示せず）と、スイッチング手段（図示せず）と、メイン回路基板３００とを備えている。このうち、カラーホイールモジュール２００は投影装置１００の本体１０１上に装着されるが、本体１０１の上部部分１１１のカバー１１０上にあるのが好ましい。前記カバー１１０はランプバルブカバーと一体に結合して前記上部部分１１１上に枢設可能となることで、開閉に便利となり、しかも部材配置およびコストを簡素化することができる。使用者は、カバー１１０を開いた後、保守または交換を要するカラーホイールのカラーホイールモジュール２００を投影装置１００の本体１０１から露出させることができる。本体１０１とカラーホイールモジュール２００とが取り外し可能な配置となることで、カラーホイールモジュール２００内の部品に必要な作業を行うのがより便利になるのがより好ましい。そして、メイン回路基板３００は投影装置１００の影像処理および電源管理のための機能を提供している。
【００１２】
ここで説明しなければならないことは、本体１０１の上部部分１１１に配置されているカバー１１０は本体１０１の上部部分にのみに配設されることに限定されず、例えば側部部分（図示せず）、または底部部分（図示せず）などの本体１０１のその他の位置に配置することで、投影装置１００におけるその他の部材との構造の配置関係の実情に合わせることも可能であるということである。
【００１３】
次に、投影装置１００の本体１０１内には、カラーホイールモジュール２００を収納する収納溝１２０を備え、カラーホイールモジュール２００の収納溝１２０内への装着が完了してから、カバー１１０を閉じることでカラーホイールモジュール２００を収納溝１２０中の正確な位置に復帰させて、投影装置１００内の光源処理を経た後、カラーの光がＤＭＤ中に正確に入射して像形成が準備可能となる。
【００１４】
図３を参照されたい。好ましくはカラーホイールモジュール２００はカラーホイール３１０を備えているものであり、前記カラーホイール３１０はどのような形態でもよく、前記カラーホイールモジュール２００のハウジング３５０内に取り外し可能に装着される。したがって、使用者はカラーホイールモジュール２００を投影装置１００から取り外して分解することが可能となるばかりか、カラーホイール３１０をカラーホイールモジュール２００のハウジング３５０内から取り出すことも可能であるので、異なる場面および異なるニーズに応じて異なる規格のカラーホイールに交換することで、投影装置の機能を十分に発揮することができる。
【００１５】
詳細には、図３に開示するカラーホイールモジュール２００は本発明に係る一実施例の概略図である。比較的普遍的な態様において、カラーホイールモジュール２００は、サブ基板３２０（ｄａｕｇｈｔｅｒ  ｂｏａｒｄ）である連結手段と、モータ３３０である駆動手段とを備えている。一般的には、サブ基板３２０は投影装置１００内のメイン回路基板３００における電源供給手段および信号入出力手段に電気的に接続されており、一方、モータ３３０はカラーホイール３１０に電気的に接続されている。このうち、モータ３３０はカラーホイール３１０が回転するようカラーホイール３１０を駆動するものであり、モータ３３０は、モータ３３０駆動時に必要な電源を供給する装置に接続するための電源線（図示せず）を有する。一般的には、カラーホイールモジュール２００はメイン回路基板３００を介して電源が供給される。この実施例では、カラーホイールモジュール２００はサブ基板を介してメイン回路基板３００と電気的に接続することができる。つまりカラーホイールモジュール２００はサブ基板３２０を介して、投影装置１００内のメイン回路基板３００に電気的に接続されることで、電源を取得し信号を伝送するとともに、影像信号を伝送する目的を達成することができる。さらに説明すべきは、カラーホイールモジュール２００はサブ基板を介することなくメイン回路基板３００に直接電気的に接続することができるということである。
【００１６】
カラーホイールモジュール２００は、カラーホイール３１０の色領域を読取る読取り手段３４０（Ｉｎｄｅｘ  ｂｏａｒｄ）を更に備えている。前記読取り手段３４０は、前記サブ基板３２０に接続されるか、またはメイン回路基板３００に直接接続可能である信号線（図示せず）を更に備えている。ここで説明すべきは、この読取り手段３４０は本発明に係る投影装置中のカラーホイールモジュール２００内に装着することも、本発明に係る投影装置１００のその他の位置に装着することもできるということである。
【００１７】
より詳細には、サブ基板３２０およびモータ３３０はハウジング３５０内に設けられるが、サブ基板３２０、モータ３３０および読取り手段３４０はハウジング３５０内に一括的に設けることもできる。このハウジング３５０が係止機構（図示せず）を有し、ハウジング３５０が投影装置１００から取り外し可能に投影装置１００の本体１０１上に着脱されて、カラーホイールモジュール２００全体を投影装置１００の本体１０１から取り外し可能であるのが好ましい。カラーホイールモジュール２００への作業の利便性を図るために、ハウジング３５０は、外力により容易にカラーホイールモジュール２００を持ち上げて投影装置１００の本体１０１（カバー１１０）から取り外し、反対にカラーホイールモジュール２００を投影装置１００の本体１０１（カバー１１０）上にしっかりと装着するという具合に、使用者が異なるニーズに応じて異なる規格のカラーホイールモジュールに交換、または保守を行うに便利となるようハウジング３５０の上部に設けられているハンドル３６０（ｈａｎｄｌｅ  ｓｐｒｉｎｇ）を更に備えている。
【００１８】
図４はサブ基板３２０、スイッチング手段４００および本体（図示せず）内のメイン回路基板３００の三者の間における接続関係を示している。サブ基板３２０はスイッチング手段４００に電気的に接続される関係にあり、スイッチング手段４００は影像信号の伝送および電源供給の目的を達成するために、更にメイン回路基板３００に電気的に接続されている。
【００１９】
本発明に係る他の実施例における前記実施例との相違点は、本実施例のカラーホイールモジュールはハウジングを必ずしも備えていないという点である。言い換えれば、カラーホイールモジュール、サブ基板、モータ、そして読取り手段については、いずれも本体上に直に配設されており、使用者は必要に応じて直接これら部材を取り外し交換することができ、投影装置本体の後方を分解することなくこれを行うことができるということになる。簡単に言えば、前記の本発明に係る数例の実施例におけるカラーホイールまたはカラーホイールモジュールはいずれも投影装置本体とは個別に取り外しまたは組付けが可能であり、投影装置全体またはカラーホイールまたはカラーホイールモジュールに関係のないその他の部材（例えば、ランプバルブ、光学機構、レンズ、導光体…など）、電子基板（例えば、メインボード、操作パネル）または筐体を分解する必要がない。
【００２０】
以上の実施例は、単に本発明の実施形態を例示し、そして本発明の技術的特徴を説明するためのものに過ぎず、本発明の範疇を限定するためのものではない。例示するならば、カラーホイールモジュールはカバーに設けないその他方式で投影装置内に組付けることもできる。カラーホイールモジュールはまたハウジング内に設けるものに限定されることはなく、サブ基板、モータおよび必要な接続ラインなどの周辺部材とを直接一体に組付けて、開放型のカラーホイールモジュールを構成することもできる。また、カラーホイールモジュールにはハンドルを必要とせず、その他類似した機能の手法を代わりに用いて、使用者がカラーホイールモジュールを投影装置から取り外して分解する利便性を図ってもよい。前記と同様、カラーホイールモジュールは読取り手段を備えなくてもよく、カラーホイールモジュールの軽量化のために、読取り手段を投影装置に別途組付けてもよい。メイン回路基板もまた影像処理機能のみに限定されることはなく、影像処理機能は単にその最も基本的な要求に過ぎない。したがって、当業者であれば本発明の技術原理および趣旨に違わない状況下で、上記実施例に修正および変更を行うことは可能であるので、本発明の権利の範囲は別紙の特許請求の範囲にて主張する内容を根拠とすべきである。
【図面の簡単な説明】
【００２１】
【図１】本発明の投影装置にて、そのカバーが開いている状態の平面概略図である。
【図２Ａ】図１の側面図である。
【図２Ｂ】図１の立体図である。
【図３】本発明に係るカラーホイールモジュールの組体の概略図である。
【図４】本発明に係るカラーホイールモジュールとその関連部材との接続関係の概略図である。
【符号の説明】
【００２２】
１００  投影装置
１０１  本体
１１０  カバー
１１１  上部部分
１２０  収納溝
１３０  レンズ
２００  カラーホイールモジュール
３００  メイン回路基板
３１０  カラーホイール
３２０  サブ基板
３３０  モータ
３４０  読取り手段
３５０  ハウジング
３６０  ハンドル
４００  スイッチング手段
【図１】
2007298925.tif 000003
【図２Ａ】
2007298925.tif 000004
【図２Ｂ】
2007298925.tif 000005
【図３】
2007298925.tif 000006
【図４】
2007298925.tif 000007